(57)【特許請求の範囲】
【請求項１】
建物開口部に設置される枠体と、枠体に対して突き合せ可能に支持される複数の障子と、枠体に対して室外側に持ち出されて支持されるとともに、突き合わせ可能に支持される複数の網戸とを有し、
複数の網戸は、その突合せ端部下方部位に、網戸の突合せ端同士の隙間及び網戸と障子との隙間を塞ぐ防虫構造を備えており、
防虫構造は、
下框の室内側突合せ部の隙間を塞ぐ室内側塞ぎ部を備える戸車部品と、下框の室外側突合せ部の隙間を塞ぐ室外側塞ぎ部を備える小口キャップとからなる主塞ぎ手段と、
室内側塞ぎ部の上方位置に配置されて網戸と障子との隙間を塞ぐモヘア部材を保持するモヘア保持部と網戸の見込み寸法に応じて戸車部品の室内側塞ぎ部と小口キャップの室外側塞ぎ部との間に生じる上下方向の隙間を塞ぐ上下塞ぎ部を備えるモヘア支持部品からなる副塞ぎ手段との組み合わせにより構成される
ことを特徴とする建具。
【発明の詳細な説明】
【技術分野】
【０００１】
建物開口部に設けられた枠体に引き違い自在に配置される障子の室外側に網戸が配置されてなる建具に関する。
【背景技術】
【０００２】
従来、建物開口部に設置された引き違い窓の室外側に網戸を配置することは周知である。（特許文献１）
近年、一般の建築物においても大きな開口部が求められており、例えば四枚建ての引き違い窓等の大きな開口が得られる建具が採用されている。
このような、四枚建ての引き違い窓においては、一枚の網戸では塞ぐことのできない大開口が生じる場合があり、そのような大開口を二枚の網戸を突き合わせた状態で配置することがあった。
【先行技術文献】
【特許文献】
【０００３】
【特許文献１】特開２００８−１２７９５５号公報
【発明の概要】
【発明が解決しようとする課題】
【０００４】
しかし、網戸が突き合わされた状態で配置されることから、網戸の突き合わせ部における虫の侵入防止についても考慮する必要があり、特に、網戸の下框の突き合わせ部に生じる隙間については何らかの隙間塞ぎ手段で塞ぐ必要があった。
【０００５】
本発明は、上記の事情を鑑みたものであり、二枚の網戸の突き合わせ部に生じる隙間を防止することを目的とする。
【課題を解決するための手段】
【０００６】
本発明は、建物開口部に設置される枠体と、枠体に対して引き違い可能に支持される複数の障子と、枠体に対して室外側に持ち出されて支持されるとともに、突き合わせ可能に支持される複数の網戸とを有し、複数の網戸は、その突合せ端部下方部位に、網戸の突合せ端同士の隙間及び網戸と障子との隙間を塞ぐ防虫構造を備えており、防虫構造は、下框の室内側突合せ部の隙間を塞ぐ室内側塞ぎ部を備える戸車部品と、下框の室外側突合せ部の隙間を塞ぐ室外側塞ぎ部を備える小口キャップとからなる主塞ぎ手段と、室内側塞ぎ部の上方位置に配置されて網戸と障子との隙間を塞ぐモヘア部材を保持するモヘア保持部と網戸の見込み寸法に応じて戸車部品の室内側塞ぎ部と小口キャップの室外側塞ぎ部との間に生じる上下方向の隙間を塞ぐ上下塞ぎ部を備える副塞ぎ手段との組み合わせにより構成されることを特徴とする。
【発明の効果】
【０００７】
本発明によれば、二枚の網戸の突き合わせ部に生じる隙間を塞ぐことができ、網戸の突き合わせ部からの虫等の侵入を防止することができる。
【図面の簡単な説明】
【０００８】
【図１】本発明の実施形態に係る引き違い窓の内観図であり、（ａ）は障子の閉鎖状態における全体内観図であり、（ｂ）は同障子を部分的に開放した状態の全体内観図である。
【図２】本発明の実施形態に係る引き違い窓の縦断面図である。
【図３】本発明の実施形態に係る引き違い窓の中央部分を開放した状態の一部横断面図である。
【図４】本発明の実施形態に係る引き違い窓の端部分を開放した状態の一部横断面図である。
【図５】本発明の実施形態に係る引き違い窓に装備される網戸の突合せ部の横断面図である。
【図６】本発明の実施形態に係る引き違い窓に装備される右網戸の突合せ部下部の防虫構造を説明するための図であり、（ａ）は網戸突合せ部下端の拡大斜視図であり、（ｂ）は防虫構造を構成する小口キャップの斜視図であり、（ｃ）は同じく戸車部品の斜視図であり、（ｄ）は同じくモヘア保持部品の斜視図である。
【図７】本発明の実施形態に係る引き違い窓であって、見込み寸法の大きい網戸が装備された引き違い窓の縦断面図である。
【図８】本発明の実施形態に係る引き違い窓であって、見込み寸法の大きい左、右網戸の突合せ部下部の防虫構造を説明するための図であり、（ａ）は左網戸の突合せ部下部の斜視図であり、（ｂ）は右網戸の突合せ部下部の斜視図であり、（ｃ）は防虫構造を構成するモヘア保持部品の斜視図である。
【図９】本発明の実施形態に係る引き違い窓に装備される見込み寸法の大きい網戸の突合せ部の横断面図である。
【図１０】本発明の実施形態に係る引き違い窓に装備される見込み寸法の大きい網戸の突合せ部の内観正面図である。
【発明を実施するための形態】
【０００９】
（建具の全体構成）
本発明の建具を、建物開口部に配置された枠体の室内外二条の案内レールに対して、内障子及び外障子をそれぞれ二枚ずつ配置して四枚建ての引き違い窓とし、四枚の引き戸の室外側に二枚の網戸を突合せ自在に配置してなる大開口用の引き違い窓の実施形態を用いて説明する。
本発明の実施形態に係る建具は、図１（ａ）に示すように、建物開口部に配置され上枠１１，下枠１２及び左、右縦枠１３，１４を四周に組んでなる枠体１に対して、例えば上框２１，下框２２及び左、右縦框２３，２４を四周に組んで内周にガラス等パネルを装着してなる内障子２を含む合計四枚の障子２，３，４，５をそれぞれ摺動自在に配置してなる四枚建ての引き違い窓であって、図１（ｂ）に示すように、障子２，３，４，５の室外側には、二枚の網戸６，７が摺動自在及び突合せ自在に配置されている。
【００１０】
（四枚建ての引き違い窓の構成）
枠体１を構成する上枠１１は、図２に示すように、建物開口部に固定され、内周面（下面）に内障子２，３が案内される室内側案内部１１１ａ及び外障子４，５が案内される室外側案内部１１１ｂを有する上枠本体部１１１と、上枠本体部１１１の室外側に連設される網戸案内上レール１１２とを備えており、下枠１２は、建物開口部に固定され、内周面（上面）に内障子２，３が案内される室内側案内レール１２１ａ及び外障子４，５が案内される室外側案内レール１２１ｂとを有する下枠本体部１２１と、下枠本体部１２１の室外側に連設される網戸案内下レール１２２を備えている。
枠体１を構成する左、右縦枠１３、１４は略同一形状をなしており、図３に左縦枠１３について示すように、建物開口部に固定される外周壁により構成されており、外周壁の内周面室外側には、障子２，３の閉鎖時に外障子４の左縦框４３が当接して外障子４を室内側に引き寄せる引寄部１３ａが形成されている。
【００１１】
内障子２，３を構成する上框２１，３１は、図２に示すように（以下、内障子２を用いて説明する。）、上枠１１の室内側案内部１１１ａに案内される上框案内部２１１と、上框案内部２１１の下方に室内側に張り出して形成され二重ガラス等のパネル体が装着される幅広の上框本体部２１２とからなり、同下框２２は、下枠１２の室内側案内レール１２１ａ上を走行する戸車２６が装着されている下框案内部２２１と、下框案内部２２１の上方に室内側に張り出して形成され二重ガラス等のパネル体が装着される幅広の下框本体部２２２とから構成されている。
内障子２、３を構成する左、右縦框は、図３に示すように、二枚の内障子２，３で左右の縦框の構成が異なっており、室内側から見て左側に配置される内障子２の右縦框２４と同右側に配置される内障子３の左縦框３３が建具の閉鎖時に突き合わされる突合せ框として構成されており、内障子２の左縦框２３と内障子３の右縦框３４（図示はない。）は、後述する外障子４，５に対する召合せ框として構成されている。
突合せ框である内障子２の右縦框２４及び内障子３の左縦框３３には、お互いの突合せ部の気密を行う気密材が長さ方向に沿って設けられており、召合せ框である左縦框２３及び右縦框３４には、外障子４，５の召合せ框の室内側面に当接する気密材が框材の長さ方向に沿って設けられている。
【００１２】
外障子４，５を構成する上框４１，５１は、図２に示すように、上枠１１の室外側案内部１１１ｂに案内される上框案内部４１１（以下、外障子４を用いて説明する。）と、上框案内部４１１の下方に形成されて二重ガラス等のパネル体が装着される幅広の上框本体部４１２とからなり、同下框４２は、下枠１２の室外側案内レール１２１ｂ上を走行する戸車２６が装着されている下框案内部４２１と、下框案内部４２１の上方に形成されて二重ガラス等のパネル体が装着される幅広の下框本体部４２２とから構成されている。
【００１３】
図３に示すように、室内側から見て左側に配置される外障子４の右縦框４４は、建具の閉鎖時に内障子２の左縦框２３に対する召合せ框として構成されており、外障子４の左縦框４３は、閉鎖時に左縦枠１３に当接する戸先框として構成されている。
なお、図示はされていないが、室内側から見て右側に配置される外障子５については、左縦框５３が内障子３の右縦框３４に対する召合せ框として構成されており、右縦框５４が閉鎖時に右縦枠１４に当接する戸先框として構成されている。
【００１４】
（網戸の構成）
本実施形態の建具に採用される網戸６，７について、室内側から見て左側に配置される網戸６（以下、「左網戸６」という。）を用いて説明する。左網戸６は、網戸上框６１、網戸下框６２及び網戸左縦框６３，網戸右縦框６４を四周に組んでなる網戸框の内周に網状体６５を張設してなり、上枠１１の網戸案内上レール１１２と下枠１２の網戸案内下レール１２２との間に左右方向に摺動自在に支持されており、室内側から見て右側に配置される網戸７（以下、「右網戸７」という。）と突き合わせ自在に支持されている。
【００１５】
網戸上框６１は、図２に示すように、中空形状に形成された網戸上框本体部６１１と、網戸上框本体部６１１の室内側面から略逆Ｌ字状に突設される網戸上框案内部６１２とを備えており、網戸上框本体部６１１の下面には網状体６５の上端辺を取り付ける網取付部６１１ａが形成され、網戸上框案内部６１２には網戸案内上レール１１２に案内される上案内部材６１２ａが取り付けられている。また、網戸上框案内部６１２と網戸案内上レール１１２との間、及び、網戸上框案内部６１２と外障子４の上框４１との間には、隙間を塞ぐ防虫部材（図示はしない。）が設けられている。
【００１６】
網戸下框６２は、図２に示すように、内部に戸車手段及び外れ止め手段を配置する室内側の網戸下框案内部６２２と、外障子４の下框４２の幅広の下框本体部４２２との干渉を避けるために、網戸下框案内部６２２の室外面から室外側に張り出すように形成された中空形状の網戸下框本体部６２１とを備えており、網戸下框本体部６２１の上面には網状体６５の下端辺を取り付ける網取付部６２１ａが形成されている。
【００１７】
網戸左縦框６３は、図３に示すように、中空形状を有しており、外周方向に突出する室内側突出片６３ａ及び室外側突出片６３ｂを備えているとともに、内周面には網状体の左辺を固定する網取付部６３ｃが形成されている。網戸左縦框６３の室内側面には外障子４の左、右縦框４３，４４の室外面に当接して外障子４と左網戸６との隙間からの虫の侵入を防止するモヘア等の防虫部材ｍ１が框材の長さ方向に沿って取り付けられており、図４に示すように、室内側突出片６３ａには左網戸６を左縦枠１３側に配置した時に左縦枠１３に当接するモヘア等の防虫部材ｍ２が配置されている。
【００１８】
網戸右縦框６４は、同じく中空形状を有しており、外周方向に突出する室内側突合せ片６４ａ及び室外側突合せ片６４ｂとを備えているとともに、内周面には網状体の右辺を固定する網取付部６４ｃが形成されている。網戸右縦框６４の室内側面には外障子４又は外障子５の左、右縦框４３，４４，５３，５４の室外面に当接して外障子４又は外障子５と網戸６との隙間からの虫の侵入を防止するモヘア等の防虫部材ｍ１が長さ方向に沿って取り付けられている。
なお、内観右側に配置される網戸７については、その構成のほとんどが左網戸６と同様なので、重複する説明は省略する。
【００１９】
（網戸の突合せ部の防虫構造）
以上のように本実施形態の建具に用いられる網戸は、左網戸６の網戸左縦框６３，網戸右縦框６４と外障子４との隙間を塞ぐ防虫部材ｍ１を備えており、網戸と外障子との隙間からの虫等の侵入を防いでいるが、本実施形態の外障子４の下框４２は、図２に示すように、戸車２６が装着されている室内側の下框案内部４２１に対して、二重ガラス等のパネル体が装着される下框本体部４２２が室外側に張り出して幅広に形成されていることから、外障子４の下框４２の下框案内部４２１の室外側面と網戸６の左右の網戸縦框６３，６４の室内側面との間には、大きな隙間Ｓ１が生じ、隙間Ｓ１を通じて虫が侵入する可能性がある。
そこで、本実施形態の建具においては、左網戸６の網戸下框６２の室内側に上記隙間Ｓ１を封鎖するモヘア部材ｍ３を配置している。
【００２０】
また、本実施形態の左、右網戸６，７の突合せ部については、図５に示すように、左網戸６の突合せ框である網戸右縦框６４の室内側突合せ片６４ａ及び室外側突合せ片６４ｂと左網戸７の突合せ框である網戸左縦框７３の室内側突合せ片７３ａ及び室外側突合せ片７３ｂが見込み方向に重複することで、突合せ部からの虫の侵入を防いでいる。
そして、左、右網戸６，７の突合せ部の下方位置、すなわち左網戸６の網戸下框６２の端部と右網戸７の網戸下框７２の端部とが突き合わされる突合せ部において、室内外に連通する隙間が生じないように、左網戸６の網戸下框６２及び右網戸７の網戸下框７２の小口に装着される戸車部品等に塞ぎ部等を設けている。
このように、本実施形態の建具においては、左、右網戸６，７の網戸縦框の下方位置に外障子に向けてモヘア部材を配置するとともに、左、右網戸６，７の突合せ框を見込み方向に重複させ、網戸下框の突合せ小口に装着される戸車部品等に塞ぎ部等を設けることで、左、右網戸６，７の突合せ部における防虫構造を構成している。
以下、防虫構造について、図５，６を参考にして説明する。
【００２１】
網戸７の網戸左縦框７３と網戸下框７２との下方接続部において、網戸左縦框７３の下端は、図５に示す、室内側壁面７３１と内周側壁面７３２の一部が切欠かれ、切欠かれた切欠き部によって網戸下框７２の端面が飲み込まれるように外周側壁面７３４に当接されて、外周側壁面７３４の外周側よりネジ等により連結されている。
【００２２】
そして、図６（ａ）に示すように、網戸左縦框７３と網戸下框７２との下方接続部には、網戸下框７２の室外側部位に装着される小口キャップ８２と、網戸下框７２の室内側部位に装着される戸車部品８４と、網戸下框７２の端部上面に配置されるモヘア保持部品８６とが備えられて、左右網戸６，７の突合せ部の下方位置における防虫構造が形成されている。
【００２３】
小口キャップ８２は、図６（ｂ）に示すように、左、右網戸６，７の網戸下框６２，７２の室外側の突合せ部に配置される室外側塞ぎ部８２１と、室外側塞ぎ部８２１の内周側に設けられた挿入キャップ部８２２とからなり、挿入キャップ部８２２を網戸下框７２の室外側に露出する網戸左縦框７３の小口に対して下方より挿入することによって、室外側塞ぎ部８２１を室内側突合せ片７３ａと室外側突合せ片７３ｂとの間の空間に配置して取り付けられている。
【００２４】
そして、右網戸６の網戸下框６２の室外側の突合せ部においても、同様に小口キャップ８１が配置されており、図５に示すように、右網戸６と左網戸７とを突き合わせた際に、網戸６の網戸下框６２の室外側に配置された小口キャップ８１の室外側塞ぎ部８１１の先端と、網戸７の網戸下框７２の室外側に配置された小口キャップ８２の室外側塞ぎ部８２１の先端とが近接することにより、室内外方向及び上下方向に通じる隙間を塞いでいる。
【００２５】
戸車部品８４は、図６（ｃ）に示すように、網戸下框６２，７２の室内側の下框案内部６２２，７２２内に配置され、レール上を走行するための戸車手段８４１と、網戸の脱落を防止するための外れ止め手段８４２と、戸車部品８４の突合せ端部に設けられた室内側塞ぎ部８４３とから構成されている。
室内側塞ぎ部８４３は、凸形状を有する上壁部８４３ａと、上壁部８４３ａの室外側に連設される見付け壁部８４３ｂと、室内側に上下方向に延びるシール部８４３ｃとからなり、図５に示すように、左網戸６の上壁部８３３ａを凹形状に形成することにより、左網戸６と右網戸７とを突き合わせた際に、見付け壁部８３３ｂ，８４３ｂの端面同士が当接するとともに、左網戸６の凹状上壁部８３３ａと右網戸７の凸状上壁部８４３ａとが凹凸係合して、虫の侵入経路を塞ぐとともに見込み方向のずれを防止している。
このように、左、右網戸６，７の突合せ下部における必須の構成部材である小口キャップ８２と戸車部品８４とによって、左右網戸の突合せ下部における隙間を塞ぐ主塞ぎ手段を構成している。
【００２６】
モヘア保持部品８６は、網戸下框７２の小口を覆うキャップ部８６２と、キャップ部の下方位置に設けられる下方固定部８６３と、キャップ部８６２の上方に延設されて室内側に向かってモヘア部材ｍ３を保持するモヘア保持部８６１とからなり、下方固定部８６３を網戸下框７２の下框案内部７２３の小口端面と戸車部品８４の室内側塞ぎ部８４３とによって挟持することで、網戸下框７２の端部上面に装着されている。
モヘア保持部８６１には、網戸左縦框７３の室内側面と障子４，５の下枠案内部４２１との間の隙間Ｓ１を埋めるのに十分な長さを有するモヘア部材ｍ３が保持されており、隙間Ｓ１からの虫の侵入を防止している。
【００２７】
（モヘア保持部材による隙間塞ぎ構造）
ところで、枠体１に支持される外障子４，５は一様ではなく、装着するガラス等パネルの厚みなどの違いによって見込み寸法が異なるものであるが、例えば図７に示すように、下框本体部４２２（５２２）の見込み寸法が大きい下框４２，５２を組んでなる外障子４，５を四枚建ての引き違い窓に採用することがある。
それに伴って、網戸６，７の網戸下框６２及び網戸下框７２の見込み寸法ｔ２を大きくする必要があるが、見込み寸法が大きい網戸下框６２及び網戸下框７２に対して、小口キャップ８１、小口キャップ８２及び戸車部品８３，８４からなる主塞ぎ手段を配置しても、網戸６，７の網戸下框６２及び網戸下框７２の間全体の間隙を埋めることができず、小口キャップ８１、８２の室内側と戸車部品８３，８４との間に上下方向に連通する隙間Ｓ２が生じてしまい、そこから虫が侵入する危険性がある。
【００２８】
そこで、本実施形態の建具においては、突き合わされる右網戸６の網戸下框６２もしくは左網戸７の網戸下框７２の下部に配置されるモヘア保持部品８５，８６のうちのいずれか一方に上下方向の隙間Ｓ２を塞ぐ上下塞ぎ部を設けて副塞ぎ手段として構成し、小口キャップ８１，８２の室内側と戸車部品８３，８４との隙間Ｓ２を塞ぐことで、小口キャップ８１，８２や戸車部品８３，８４の主塞ぎ手段の形状や構成を全く変えることなく、種々の見込み寸法の障子に対応できるように構成されている。以下、さらに詳細に説明する。
【００２９】
図８乃至１０に、網戸６，７の網戸下框６２及び網戸下框７２の見込み寸法が大きい場合に用いられる一組のモヘア保持部品８７，８８、及び、モヘア保持部品８７，８８を装着した右網戸６及び左網戸７の突合せ端部の構成を示す。
なお、網戸下框６２，７２の見込み寸法が異なる場合であっても、網戸縦框を兼用するとともに、戸車部品を装着する網戸下框案内部６２２の形状や寸法を共通とすることができ、網戸縦框を介して取り付けられる小口キャップ８１，８２や網戸下框案内部６２２、７２２内に配置される戸車部品８３，８４は、図２に示す実施形態のそれと変更する必要はないので、その説明は省略する。
右網戸６及び左網戸７に用いられるモヘア保持部品８７，８８は、キャップ部８７２，８８２によって網戸下框６２及び網戸下框７２の小口を覆うとともに、網戸右縦框６４，網戸左縦框７３の室内側面に当接するようにモヘア保持部８７１，８８１を形成するものであることから、網戸下框６２及び網戸下框７２１の見込み寸法に応じて、モヘア保持部品８７，８８のキャップ部８７２，８８２の見込み方向の寸法は変更されて形成されるものであって、図８に示すモヘア保持部品８７，８８は、先に説明したモヘア保持部品８５，８６に比較して、図８に示す網戸下框６２，７２の見込み寸法ｔ２と図６に示す建具の網戸下框６２，７２の見込み寸法ｔ１との差（ｔ２−ｔ１）の分だけ大きく形成されている。
【００３０】
そして、本実施形態の建具に用いられる一方のモヘア保持部品８８には、前記差（ｔ２−ｔ１）と略同じ見込み幅を有するとともに、左、右網戸６，７の突合せ時における左右のモヘア保持部品８５，８６の間隔と略同じ見付け寸法を有する上下塞ぎ部８８４が、キャップ部８７２，８８２及び固定部８７３，８８３の見込み方向室外側端から外周に向かって形成されている。
それに対して、他方のモヘア保持部品８７は、網戸下框６２及び網戸下框７２１の見込み寸法に応じてキャップ部８７２，８８２の見込み方向の寸法は変更されて形成されているが、上下塞ぎ部８８４は形成されない。
【００３１】
したがって、左、右網戸６，７を突き合わせた状態において、左網戸６の小口キャップ８１の室外側塞ぎ部８１１及び右網戸７の小口キャップ８２の室外側塞ぎ部８２１と戸車部品８３，８４の室内側塞ぎ部８４３，８４３との隙間Ｓ２には上下塞ぎ部８８４が配置されることとなり、虫の侵入を防止することができる。
その際、隙間Ｓ２を一方のモヘア保持部品８８に形成した上下塞ぎ部８８４で塞いでいるので、隙間Ｓ２において左網戸６の戸車部品８３の上壁部８３３ａと右網戸７の戸車部品８４の上壁部８４３ａとの突き当たり面と左右方向にずれた突き当り面を形成することで、より確実に虫の侵入を防止することができる。
また、他方のモヘア保持部品８７を左網戸６の戸先框である左縦框６３及び右網戸７の戸先框である右縦框７４に配置されるモヘア保持部品と兼用するように設計することができ、部品の種類の増加を防止でき、また、取り付け間違いが防止でき、施工性が向上する。
【００３２】
以上のように、本実施形態の建具においては、下框の室内側突合せ部の隙間を塞ぐ室内側塞ぎ部を備える戸車部品と、下框の室外側突合せ部の隙間を塞ぐ室外側塞ぎ部を備える小口キャップとからなる主塞ぎ手段によって、網戸の突合せ部における基本的な防虫構造を構築しながら、網戸の見込み寸法が変わることによって生じる上下方向の隙間を、網戸の見込み寸法の変化に応じて設計変更がなされるモヘア保持部品に上下塞ぎ部を設けて副塞ぎ手段として構成することで対応するので、戸車部品や小口キャップ等の基本的な構成部材の変更が必要なく、網戸を構成する部材の変更を最少限にとどめながら、突合せ部に生じる隙間を効率的に塞ぐことができる。
【符号の説明】
【００３３】
１        ：枠体
１１      ：上枠
１２      ：下枠
１３      ：右縦枠
１４      ：右縦枠
２        ：内障子
３        ：内障子
４        ：外障子
５        ：外障子
６        ：左網戸
６２      ：網戸下框
６４      ：網戸右縦框
７        ：右網戸
７２      ：網戸下框
７３      ：網戸左縦框
８１      ：小口キャップ
８２      ：小口キャップ
８３      ：戸車部品
８４      ：戸車部品
８５      ：モヘア保持部品
８６      ：モヘア保持部品
８７      ：モヘア保持部品
８８      ：モヘア保持部品
【図１】
0006503284.tif 000002
【図２】
0006503284.tif 000003
【図３】
0006503284.tif 000004
【図４】
0006503284.tif 000005
【図５】
0006503284.tif 000006
【図６】
0006503284.tif 000007
【図７】
0006503284.tif 000008
【図８】
0006503284.tif 000009
【図９】
0006503284.tif 000010
【図１０】
0006503284.tif 000011